(57)【要約】  【課題】  地下から地上に複数の光ファイバ心線を引上げるときに、各引上げ点毎に複数の予備光ファイバ心線粘を引上げていた。そしてこの予備光ファイバ心線はその引上げ点のみで使用することしか出来ず、他の引上げ点で光ファイバ心線が不足しても、余剰光ファイバ心線を他の引上げ点にて活用することができず、不足するたびに引上げ工事を再度行う必要があった。  【解決手段】  複数の引上げ点で予備光ファイバ心線を共用するようにしたものであり、その特徴は、地下の一部の予備用光ファイバ心線が複数の箇所で引上げられたことを特徴とする。これにより、各引上げ点で予備光ファイバ心線を共用することができ、システム全体の予備光ファイバ心線の数を少なくすることができる。  【選択図】  図１
2005156663.tif 000002
【特許請求の範囲】
【請求項１】
少なくとも１つの心線を有する幹線を備え、前記幹線の少なくとも１つの所定心線は、所定の分岐点で分岐されて分岐線となし、前記分岐線は迂回して前記所定心線に前記分岐点以降で接続され、前記所定心線はさらに別の分岐点で分岐され分岐線となすことを特徴とする配線。
【請求項２】
請求項１に記載の配線であって、前記分岐線の少なくとも１つは予備線であることを特徴とする配線。
【請求項３】
請求項１に記載の配線であって、前記分岐線の少なくとも１つは迂回途中で分断され、前記分岐線の分断された一端が子局と接続されることを特徴とする配線。
【請求項４】
請求項１乃至３いずれか１項記載の配線であって、前記幹線は地下に布設され、前記分岐線は地上へと布設されたことを特徴とする配線。
【請求項５】
請求項１乃至４いずれか１項記載の配線であって、前記心線は光ファイバ心線であることを特徴とする配線。
【請求項６】
請求項１乃至５いずれか１項記載の配線であって、前記分岐線の少なくとも一部は切替機構に接続されたことを特徴とする配線。
【発明の詳細な説明】
【技術分野】
【０００１】
本発明は、幹線と分岐線とを有する配線に関する。詳しくは、幹線の機能を複数の分岐箇所で活用する配線に関する。例えば複数の光ファイバ心線が地下を経由して親局と子局とが光学的に接続される光ファイバ心線の配線に関するものである。
【背景技術】
【０００２】
例えば、ＦＴＴＨ（Fiber To The Home）に代表される光ファイバを使用した通信は、通信の多様化、大容量化に伴い、急激に普及しつつある。
従来、光ファイバの布設の1つとして、親局に接続された光ケーブルを地下に布設し、必要な箇所でその中の一部の光ファイバ心線を地上に引上げ、電柱等を介して子局である各ユーザーに架空配線する方法がある。（例えば特許文献１）
【０００３】
一般に、親局から各ユーザー宅などの複数の子局に光ファイバ心線を布設する場合、図６に示すように、親局１に接続された複数の幹線光ファイバ心線２１乃至２９を含む幹線光ケーブル３が地下に布設され、例えばＡエリアにおいては、地下の分岐ボックス４Ａから幹線光ケーブル３中の一部の幹線光ファイバ心線２１乃至２４が分岐点５１乃至５４で分岐して分岐線６１乃至６４と成している。ここで分岐線６１、６２は既に使用予定が決まっており地上に引上げられ、電柱間等に配置された既存のクロージャなどの配線箱７Ａからそのエリア内の各子局８１、８２に分配布設される。
【０００４】
また、分岐線６３、６４は現時点では使用予定のない予備線として地上に引き上げられる。これは、地下での配線作業は架空上の配線作業に比べ、作業性が悪い環境にあり、繰返し分岐線の引上げ工事を避けるためである。なお、Ｂエリアでも同様に幹線光ファイバ心線２５乃至２８は分岐点５５乃至５８で分岐され分岐線６５乃至６８となし、一部の分岐線６５、６６は子局８５、８６に接続され他の分岐線６７、６８は予備線として将来の需要に備えるように布設がなされる。この場合、分岐線６１乃至６８はそれぞれ別の幹線光ファイバ心線２１乃至２８から分岐されている。すなわち、分岐線６１乃至６８は1心につき１心の幹線光ファイバ心線２１乃至２８を使用している。そのため、需要予測の誤算などにより、例えば予備用の分岐線６４がＡエリアで、ついに使用されることがなかった場合には幹線光ファイバ心線２４は無駄となり他に活用の途がない。同様に、後発的に子局８１が不要となった場合には、そこに接続されていた幹線光ケーブル３内の幹線光ファイバ心線２１が活用できずに無駄になってしまうという問題があった。これは例えばＢエリアで需要予測を上回る子局の増加がありＢエリアの分岐線が不足した場合であってもＡエリアで余剰した分岐線６１、６４をＢエリアの子局に接続することは冗長な架空配線を必要とし一般的には得策ではないため幹線光ファイバ心線２１、２４が無駄となり活用できないという事情に変わりはなかった。
【０００５】
【特許文献１】特開平１０−９０５２４号公報
【発明の開示】
【発明が解決しようとする課題】
【０００６】
そこで、本発明の目的は、幹線と分岐線を有する配線において幹線の機能を複数の分岐箇所で活用する配線を提供することである。
【課題を解決するための手段】
【０００７】
請求項１に係る配線は、少なくとも１つの心線を有する幹線を備え、前記幹線の少なくとも１つの所定心線は、所定の分岐点で分岐されて分岐線となし、前記分岐線は迂回して前記所定心線に前記分岐点以降で接続され、前記所定心線はさらに別の分岐点で分岐され分岐線となす特徴とする。なお、迂回途中に接続点を含んでも支障がないことは勿論である。
【０００８】
請求項２に係る配線は、請求項１に記載の配線であって、前記分岐線の少なくとも１つは予備線であることを特徴とする。
【０００９】
請求項３に係る配線は、請求項１に記載の配線であって、前記分岐線の少なくとも１つは迂回途中で分断され、前記分岐線の分断された一端が子局と接続されることを特徴とする。
なお、ここで迂回途中で分断とは、一旦迂回配線を完成したのちに分断することを必ずしも要せず、何らかの配線を追加すれば迂回が完成するような状態を含むことは勿論である。
【００１０】
請求項４に係る配線は、請求項１乃至３のいずれか１項記載の配線であって、前記幹線は地下に布設され、前記分岐線は地上へと布設されたことを特徴とする。なお、地上へと布設される分岐線は必ずしも地上まで布設されることを要せず、地下で布設が中断されていてもよいことは勿論である。
【００１１】
請求項５に係る配線は、請求項１乃至４のいずれか１項記載の配線であって、前記心線は光ファイバ心線であることを特徴とする。
【００１２】
請求項６に係る配線は、請求項１乃至５のいずれか１項記載の配線であって、前記分岐線の少なくとも一部は切替機構に接続されたことを特徴とする。
【発明の効果】
【００１３】
請求項１に係る配線によれば、所定心線から分岐された分岐線を迂回して所定心線に前記分接続され、前記所定心線はさらに別の分岐点で分岐されて分岐線となすため、該所定心線から分岐された複数の分岐線のうち１つが活用されれば幹線の心線として機能し無駄がない。
【００１４】
請求項２に係る配線によれば、前記分岐線を予備線としているので、第１の分岐点で予備線が余剰しても第２以降の分岐点で予備線が必要となれば該所定心線は活用されることとなる。即ち、予備線の心数を決める際に分岐点ごとの需要予測に誤算があった場合でも全体の需要予測が適切であれば、幹線の心線に無駄が出ないことになる。
【００１５】
請求項３に係る配線によれば、前記分岐線の前記分岐線は迂回途中で分断され、前記分岐線の分断されたのち一端が子局と接続されているので、例えば、子局が後発的に不要となった場合に子局に接続されていた分岐線を前記分岐線が分断された他端と接続し迂回線を完成させることにより、幹線の心線を他の分岐点で活用可能となり無駄がない。
【００１６】
ところで、幹線を地下に布設し分岐線を地上へと布設する場合には、地下の幹線から分岐線を分岐する作業が困難である場合が多いため、困難な作業の回避という観点からは各分岐点においてなるべく多くの分岐線を分岐させておくことが好ましい。しかしながら、従来の配線においては分岐線１心に対して幹線の心線も1心、必要としていたため、分岐線の心数増加は幹線の心数増加を意味し、ときとして幹線の心数に無駄を生じる場合があった。
【００１７】
そこで、前記請求項１乃至３のいずれか１項に記載の本発明に係る配線によれば、幹線は地下に布設され、前記分岐線は地上へと布設された場合であっても、幹線の心数に対して分岐線の心数を増やせるため、結果として困難な地下幹線の分岐作業の必要を減じることができる。これは、例えば、所定の幹線の心数に対してより多くの予備線を設けることが可能であり、多くの予備線を設けておけば分岐作業が必要となる可能性が低いということである。また、幹線が地下に布設されるような場合には配線の規模は広域にわたり、各分岐点間の距離が長い場合が多い。このような場合には、ある分岐点で分岐線が余剰したとしても、その分岐線を他の分岐点付近の子局まで配線するのが困難である。
即ち、請求項４に係る配線のように、幹線は地下に布設され、前記分岐線は地上へと布設される場合に本発明を適用すればより有効である。
【００１８】
また、近年、光ファイバの布設が急激に普及しつつあるが、光ファイバの分岐作業は光軸合わせなどが必要であり困難な場合が多いため、布設時初期に分岐作業を完了できれば事後の事情の変化に適応が容易である。また、光ファイバによる通信は比較的新しい分野であるため需要の予測は立てにくく、事後の事情の変化などに柔軟に対処する必要がある。
従って、請求項５に係る配線のように、光ファイバの配線に本発明を適用すればより有効である。
【００１９】
さらに本発明は初期布設後の分岐線の配線変更を想定したものであり、請求項６に係る配線のように前記分岐線の少なくとも一部を切替機構に接続した場合には分岐線の配線変更が容易となりより好ましい。
【発明を実施するための最良の形態】
【００２０】
地下に布設された幹線光ケーブルの例えば第１の光ファイバ心線から分岐されて引上げられた一部の分岐線は、迂回して再び地下に引下げられる。引下げられた分岐線は、幹線光ケーブルの前記第１の光ファイバ心線に再接続される。この分岐線は予備線として使用される。なお、分岐箇所と再接続箇所の間は第１の光ファイバ心線が分断されている。第１の光ファイバ心線は他の箇所で再度分岐して引上げられる。
地上に引上げられた予備線としての分岐線を使用する場合は切換え機構を介して切換えられる。
【００２１】
幹線光ケーブルの例えば第２の光ファイバ心線から分岐して分岐線となし、子局に接続する。また、分岐されて親局と接続が断たれた第２の光ファイバ心線からも分岐して前記子局に接続した分岐線の近傍にダミーの分岐線を引き上げておく。すなわち、予備線と同様に分岐後迂回して再び引き下げられるが、迂回の途中で分断され、分断された親曲側の一方端が子局に接続された格好になる。
【実施例１】
【００２２】
以下本発明を図示した実施例に基づき説明する。
図１において、図６と同様に１は親局、２１乃至２９は幹線光ファイバ心線、３は幹線光ケーブル、４Ａ、４Ｂは地下の分岐ボックス、５１乃至５８は分岐ボックス４Ａ、４Ｂ内の分岐点、６１乃至６８は幹線光ファイバ心線２１乃至２８から分岐された分岐線、７Ａ、７Ｂは配線箱、８１，８２，８５，８６は子局である。地下で親局に接続された幹線光ケーブル３の幹線光ファイバ心線２１、２２、２３、２４、２７、２８はＡエリアにおいて地下の分岐ボックス４Ａで内の分岐点５１Ａ、５２Ａ、５３Ａ、５４Ａ、５７Ａ、５８Ａで分断され、分岐線６１Ａ、６２Ａ、６３Ａ、６４Ａ、６７Ａ、６８Ａに接続される。分岐線６１Ａ、６２Ａは既に使用予定が決まっており、１０心の光ケーブル９Ａの２心に振り当てにより地上に引き上げられて配線箱７Ａを介し子局８１、８２に接続されている。分岐線６３Ａ、６４Ａ、６７Ａ、６８Ａは現時点では使用予定がなく予備線として布設されたものであり、１０心の光ケーブル９Ａの４心を振当てて地上に引き上げられている。一方、幹線光ファイバ心線２３、２４、２７、２８は分岐点５３Ａ、５４Ａ、５７Ａ、５８Ａ以降の分岐点５３´Ａ、５４´Ａ、５７´Ａ、５８´Ａでも分岐され戻し分岐線６３´Ａ、６４´Ａ、６７´Ａ、６８´Ａとして１０心の光ケーブル９Ａの４心を振り当ててで地上に引き上げられる。
分岐線６３Ａ、６４Ａ、６７Ａ、６８Ａと分岐線６３´Ａ、６４´Ａ、６７´Ａ、６８´Ａは４心一括型光コネクタ１０によりそれぞれ接続されて迂回線路を形成している。
【００２３】
また、Ｂエリアにおいては幹線光ファイバ心線２３、２４、２５、２６、２７、２８が分岐ボックス４Ｂで分岐して分岐線６３Ｂ、６４Ｂ、６５Ｂ、６６Ｂ、６７Ｂ、６８Ｂに接続される。分岐線６５Ｂ、６６Ｂは既に使用予定が決まっており子局８５、８６に接続される。分岐線６３Ｂ、６４Ｂ、６７Ｂ、６８Ｂは予備線として布設されたものであり、戻し分岐線６３´Ｂ、６４´Ｂ、６７´Ｂ、６８´Ｂ、分岐点、５３´Ｂ、５４´Ｂ、５７´Ｂ、５８´Ｂを介して迂回し、幹線光ファイバ心線２３、２４、２７、２８に接続されている。
【００２４】
このように、幹線から分岐して引き上げられ、迂回して引き戻した分岐線を予備線とすることにより複数のエリアで幹線光ファイバ心線を共有化できる。即ち、例えば幹線光ファイバ心線２３は分岐線６３Ａ、６３Ｂと接続されているが、ＡエリアかＢエリアのいずれかで子局を増設する必要が生じれば分岐線６３Ａ、６３Ｂのいずれかを増設した子局に接続することにより幹線として活用され無駄になることがない。
【００２５】
なお、上記実施例１では使用予定のある分岐線を２心、予備線として布設する分岐線及び戻し分岐線をそれぞれ４心とし１０心の光ケーブル９Ａで地上に引き上げたが、心線数はこれに限ることなく、適宜選択可能である。本実施例では説明の都合上心線数を少なめに設定したが実際は例えば使用予定のある分岐線を３２心、予備線を４心、戻し予備線を４心とし合計４０心の光ケーブルを地上に引き上げるなどとしてもよい。また、本実施例では本発明がより効果的である、幹線が地下に布設され分岐線が地上へと布設される場合として設定したが幹線、分岐線が布設される場所は適宜選択可能である。もちろん、布設されるのは光ファイバに限らず、電気配線などであってもよい。
【００２６】
また、本実施例では、使用予定のある分岐線、予備線、戻し分岐線を同一の光ケーブル９Ａ、９Ｂで配線したがそれぞれ別々の光ケーブルを用いてもよい。
また、上記実施例において、配線箱７Ａ、７Ｂは既存の架空配線箱を利用することができ、更に電柱や地上に別途、他の接続箱を設けて形成するようにしても良い。さらに、本実施例ではエリアをＡエリアとＢエリアの２つのエリアとして説明したが、より多くのエリアを設け、各エリアで分岐線の迂回、接続を繰り返せばより幹線光ファイバ心線が活用される機会は増加しより効果的である。
【実施例２】
【００２７】
実施例１では、迂回した分岐線を予備線として使用して予備線に接続された幹線光ファイバ心線２を各分岐点で共有したが、これを使用予定のある分岐線に適用することもできる。以下に実施例２として説明する。
図２を参照して、地下に布設され、親局に接続された幹線光ケーブル３の幹線光ファイバ心線２１はエリアＡの分岐ボックス４Ａ内で分岐され、分岐線６１Ａに接続されて地上に引き上げられ、子局８に接続されている。即ち、  分岐線６１Ａは予め使用が予定されている。
【００２８】
ここで幹線光ファイバ心線２１は分岐点５１Ａで分断されるが、その分断された幹線光ファイバ心線２１は戻し分岐線６１´Ａに接続される。さらに幹線光ファイバ心線２１はＢエリアにおいても５１Ｂで分岐されて予備線用の分岐線６１Ｂに接続される。これによりエリアＡで子局８が後発的に不要となった場合、エリアＡの分岐線６１Ａと戻し分岐線６１´Ａを接続することにより、エリアＢで予備線として布設した分岐線６１Ｂに需要が生じれば幹線光ファイバ心線２１は活用でき無駄とならない。なお、Ｂエリアの分岐線６１Ｂを戻し分岐線６１´Ｂ、分岐点５１´Ｂを介して迂回させ幹線光ファイバ心線２１に接続しておけば、Ｂエリア以外のエリアで新たな需要が生じた場合でも幹線光ファイバ心線２１は幹線として活用でき、より効果的である。
【実施例３】
【００２９】
実施例1では予備線用の分岐線と戻し分岐線を４心一括型光コネクタ１０で接続して地下に戻すことを想定して説明した。
しかし、実際の配線では例えば予備線用の分岐線６８Ａなど単心ごとに増設された子局に接続して使用する場合も想定される。その場合、図3（イ）に示すように、各分岐線６３Ａ、６４Ａ、６７Ａ、６８Ａ、及び戻し分岐線６３´Ａ、６４´Ａ、６７´Ａ、６８´Ａ'をあらかじめ単心ごとにばらして布設しておき、必要に応じ、図３（ロ）に示すように、必要となった、例えば予備線用の分岐線６８Ａのみを途中で切り離し子局に接続して使用すれば良い。
【００３０】
この布設方法では単心ごとに布設しているため、予備線用分岐線に接続された幹線光ファイバ心線のうち、必要数を特定エリアで使用し、残りを他のエリアでも使用することができる。
なお、図3の実施例の場合は、4心一括で切り離せるように、単心に分離した後、再度、4心線を集合させ、４心一括型光コネクタ１０を介して引戻し光ファイバ心線に接続している例を示している。
【実施例４】
【００３１】
上記実施例３においては、予備線用分岐線を単心に分離する方法として、単に集合されている予備線用分岐線をばらしているが、切替えが考えられる場合は図4に示すように、予備線用の分岐線６３Ａ、６４Ａ、６７Ａ、６８Ａを戻し分岐線６３´Ａ、６４´Ａ、６７´Ａ、６８´Ａとを単心光コネクタ１２で接続するようにしてもよい。
【実施例５】
【００３２】
図5は本発明の更に他の実施例を示すものである。
図5は前記各実施例と比較して架空の配線箱７Ａ、７Ｂ内に単心切替盤が配置されている点が大きく異なっている。即ち、Ａエリアの配線箱７Ａ内には、４個の単心切替盤１３ａ、１３ｂ、１３ｃ、１３ｄが配置され、Ｂエリアの配線箱７Ｂ内には４個の単心切替盤１４ａ、１４ｂ、１４ｃ、１４ｄが配置されている。
【００３３】
地下の幹線光ケーブル３の幹線光ファイバ心線２（複数心）から使用予定のある分岐線６ＪＡ、６ＪＢ、予備線用分岐線６ＫＡ、６ＫＢとを分岐光ケーブルで引上げ、電柱１５を介して、架空上に引上げられる。一般に引上げられた光ファイバ心線は複数の光ファイバ心線が束ねられたテープ光ファイバ心線であるため、本実施例では地下から引上げられた分岐線６ＪＡ、６ＪＢ、６ＫＡ、６ＫＢは単心毎に分離されて単心切替盤１３ａ、１４ａに接続されている。また、Ａエリアの単心切替盤１３ｄは、幹線光ファイバ心線２の分岐点５Ａ以降で分岐点５´Ａにおいて分岐された戻し分岐線６´ＫＡ、予備線用分岐線６ＫＢを介してＢエリアの単心切替え盤１４Ｃに接続されている。  幹線光ファイバ心線２はＡエリアの子局８の需要に応じて、単心切替盤１３ｂを介して子局８に接続される。なお、Ｂエリアでは使用予定のある分岐線６ＪＢは幹線光ケーブル３から分岐され、単心切替盤１４ａ、１４ｂを介して子局８に接続されている。このような状態でＡエリアで子局８が増加した場合は単心切替盤１３ａから１３ｄに接続されていた分岐線６ＫＡを、単心切替盤１３ｂを介して子局８に接続すればよい。
またＢエリアで子局８が増加した場合は単心切替盤１４ｃに接続されている分岐線６ＫＢを、単心切替盤１４ｄを介して子局８に接続すればよい。
【００３４】
なお、本実施例では、架空の配線箱７Ａ、７Ｂ内の単心切替盤１３、１４間で単心毎の切替えを行っているが、本発明はテープ心線ごとの一括切替えで行っても良い。
また、本発明は簡易着脱性を考慮し、コネクタ付き単心コードを使用して、前記単心切換え盤１４間の接続を行っても良い。接続損失を考慮する場合、または、切替えがないと判断される場合は、融着接続に代表される永久接続を行っても良い。これはテープごとに配線した場合にも同様である。
図5中では架空上で配線を行っているが、電柱や地上に別途同じような機能を持つ筐体を設置してもよい。また、地下での作業が架空よりも容易であると判断される場合には、地下配線箱で同様の機能を持たせることも可能である。
【図面の簡単な説明】
【００３５】
【図１】本発明の概略を示した光ファイバ緯線図。
【図２】本発明の一実施例を示す要部光ファイバ配線図。
【図３】本発明の他の実施例を示す要部光ファイバ配線図。
【図４】本発明の更に他の実施例を示す要部光ファイバ配線図。
【図５】本発明の更に他の実施例を示す要部光ファイバ配線図。
【図６】従来例の一例を示す光ファイバ配線図。
【符号の説明】
【００３６】
１    親局
２１-２９    幹線光ファイバ心線
３    幹線光ケーブル
４Ａ    分岐ボックス
４Ｂ    分岐ボックス
５Ａ    分岐点
５    分岐点
５１-５８    分岐点
５１Ａ    分岐点
５３Ａ    分岐点
６    分岐線
６１-６８    分岐線
６ＪＡ    分岐線
６ＪＢ    分岐線
６ＫＡ    分岐線
６ＫＢ    分岐線
６ＫＡ    予備線用分岐線
６ＫＢ    予備線用分岐線
６１Ａ    分岐線
６１Ｂ    分岐線
６３Ａ    分岐線
６３Ｂ    分岐線
６５Ｂ    分岐線
６８Ａ    予備線
７Ａ    配線箱
７Ｂ    配線箱
８    子局
８１    子局
８３    子局
８５    子局
９Ａ    光ケーブル
１０    一括型光コネクタ
１２    単心光コネクタ
１３    単心切替盤
１３ａ    単心切替盤
１３ｂ    単心切替盤
１３ｄ    単心切替盤
１４    単心切替盤
１４ａ    単心切替盤
１４ｃ    単心切替盤
１４ｄ    単心切替盤
１５    電柱
【図１】
2005156663.tif 000003
【図２】
2005156663.tif 000004
【図３】
2005156663.tif 000005
【図４】
2005156663.tif 000006
【図５】
2005156663.tif 000007
【図６】
2005156663.tif 000008